(57)【要約】【課題】選択項目の選択操作を直感的に行うことを可能とし、以って、操作性を高める。【解決手段】複数の選択項目３２を含む項目選択画面３０の中から所望の選択項目３２をリモート操作デバイス５により選択する表示項目選択方法であって、前記選択項目３２の各々を前記項目選択画面３０内に円周に沿って配置して表示すると共に、前記リモート操作デバイス５の動きに基づいて当該リモート操作デバイス５の回転操作を検出したときに、前記項目選択画面３０内の選択項目３２の各々を順に表示するようにした。【選択図】図６
2008123158.tif 000002
【特許請求の範囲】
【請求項１】
複数の選択項目を含む項目選択画面を表示装置に表示する表示制御装置と、前記項目選択画面の中から所望の選択項目を選択するための操作デバイスとを有した表示項目選択システムであって、
前記操作デバイスは、前記操作デバイスの動きを検出する動き検出手段と、当該動き検出手段の検出信号に基づく動き情報を前記表示制御装置に送信する送信手段とを有し、
前記表示制御装置は、前記動き情報を受信する受信手段を有し、前記選択項目の各々を前記項目選択画面内に円周に沿って配置して前記表示装置に表示すると共に、前記動き情報に基づいて前記操作デバイスの回転操作が検出されたときに、前記項目選択画面内の選択項目の各々を順に表示する
ことを特徴とする表示項目選択システム。
【請求項２】
請求項１に記載の表示項目選択システムにおいて、
前記表示制御装置は、前記項目選択画面内に円周に沿って配置された各選択項目を選択状態にする順番を前記操作デバイスの回転操作方向と合わせることを特徴とする表示項目選択システム。
【請求項３】
請求項１または２に記載の表示項目選択システムにおいて、
前記表示制御装置は、選択状態にする選択項目の切り替えの速さを前記操作デバイスの回転操作の速さに応じて速めることを特徴とする表示項目選択システム。
【請求項４】
請求項１乃至３のいずれかに記載の表示項目選択システムにおいて、
前記表示制御装置は、前記操作デバイスが所定回数以上連続して回転操作された場合に、選択状態にする選択項目の切り替えを速めることを特徴とする表示項目選択システム。
【請求項５】
請求項１乃至５のいずれかに記載の表示項目選択システムにおいて、
前記表示制御装置は、前記動き情報に基づいて前記操作デバイスの回転操作以外の動きが検出されたときに、選択状態にある選択項目の選択決定を行うことを特徴とする表示項目選択システム。
【請求項６】
請求項５に記載の表示項目選択システムにおいて、
前記表示制御装置は、前記選択項目の選択決定により動画を再生、又は、静止画を表示すると共に、前記選択項目の選択決定の後に、前記操作デバイスの回転操作が検出されたときには、前記動画の再生速度を変更し、又は、前記静止画を回転表示することを特徴とする表示項目選択システム。
【請求項７】
動きを検出する動き検出手段と、
複数の選択項目が円周に沿って配置された項目選択画面を表示する電子機器に対し、デバイス本体の回転操作運動に応じて前記項目選択画面内の選択項目の各々を順に選択させるべく、前記動き検出手段の検出信号に基づく動き情報を送信する送信手段と
を具備することを特徴とする操作デバイス。
【請求項８】
表示装置に表示された複数の選択項目を含む項目選択画面の中から所望の選択項目を操作デバイスにより選択する表示項目選択方法であって、
前記選択項目の各々を前記項目選択画面内に円周に沿って配置して表示すると共に、前記操作デバイスの動きに基づいて当該操作デバイスの回転操作を検出したときに、前記項目選択画面内の選択項目の各々を順に表示することを特徴とする表示項目選択方法。
【発明の詳細な説明】
【技術分野】
【０００１】
本発明は、モニタやスクリーン等に表示された複数の選択項目を含む選択項目画面の中から所望の選択項目を選択するための技術に関する。
【背景技術】
【０００２】
従来、モニタやスクリーン等に多数の選択項目を含むメニュー選択画面を表示し、所望の選択項目を操作デバイスにて選択するようにしたシステムが知られている。この種のシステムでは、一般に、十字ポインタキーやスイッチボタン等の複数の操作子が設けられたコントローラを操作して所望の選択項目を選択するようにしている。
また、メニュー選択画面にカーソルを表示し、ポインティングデバイスを用いてメニュー選択画面内でカーソルを自由に移動させて所望の選択項目を選択するようにしたものも知られている（例えば、特許文献１参照）。
【特許文献１】特開２００５−６３２２６号公報
【発明の開示】
【発明が解決しようとする課題】
【０００３】
しかしながら、コントローラを用いて選択項目を選択するシステムにあっては、所望の選択項目が選択状態になるまで何度もボタンを押す必要があり操作性が悪いといった問題がある。さらに、この種のコントローラには複数の操作子が設けられているため、選択項目を選択操作するための操作子が見つけ難く、特に、周囲が暗くて手元が見えない状況下では操作し難いといった問題がある。
【０００４】
また、ポインティングデバイスを用いて所望の選択項目を選択するシステムにおいては、現在のカーソル位置から見て所望の選択項目の方向にカーソルを移動させるようにポインティングデバイスを動かし、当該選択項目の表示領域内にカーソルを位置させる操作が必要である。したがって、操作の都度、現在のカーソル位置を把握し、さらに、ポインティングデバイスを動かす方向を判断しなければならず、操作性が悪いといった問題がある。
【０００５】
本発明は、上述した事情に鑑みてなされたものであり、選択項目の選択操作を直感的に行うことを可能とし、以って、操作性を高めることのできる表示項目選択システム、操作デバイス、及び、表示項目選択方法を提供することを目的とする。
【課題を解決するための手段】
【０００６】
上記目的を達成するために、本発明は、複数の選択項目を含む項目選択画面を表示装置に表示する表示制御装置と、前記項目選択画面の中から所望の選択項目を選択するための操作デバイスとを有した表示項目選択システムであって、前記操作デバイスは、前記操作デバイスの動きを検出する動き検出手段と、当該動き検出手段の検出信号に基づく動き情報を前記表示制御装置に送信する送信手段とを有し、前記表示制御装置は、前記動き情報を受信する受信手段を有し、前記選択項目の各々を前記項目選択画面内に円周に沿って配置して前記表示装置に表示すると共に、前記動き情報に基づいて前記操作デバイスの回転操作が検出されたときに、前記項目選択画面内の選択項目の各々を順に表示することを特徴とする。
【０００７】
また、上記目的を達成するために、本発明は、表示装置に表示された複数の選択項目を含む項目選択画面の中から所望の選択項目を操作デバイスにより選択する表示項目選択方法であって、前記選択項目の各々を前記項目選択画面内に円周に沿って配置して表示すると共に、前記操作デバイスの動きに基づいて当該操作デバイスの回転操作を検出したときに、前記項目選択画面内の選択項目の各々を順に表示することを特徴とする。
【０００８】
また、上記目的を達成するために、本発明は、動きを検出する動き検出手段と、複数の選択項目が円周に沿って配置された項目選択画面を表示する電子機器に対し、デバイス本体の回転操作運動に応じて前記項目選択画面内の選択項目の各々を順に選択させるべく、前記動き検出手段の検出信号に基づく動き情報を送信する送信手段とを具備することを特徴とする操作デバイスを提供する。
【０００９】
本発明によれば、選択項目の各々が選択画面内に円周に沿って配置して表示されると共に、操作デバイスの回転により選択項目の各々が順に表示される。これにより、選択項目の表示態様と、選択項目を選択するための操作態様とが合致するため、ユーザが直感的に操作デバイスを操作することが可能となる。特に、操作デバイスを回転させるという多くの人間が簡単に行うことのできる動作によって操作を可能にしたため、その操作が容易なものとなる。
また、本発明によれば、操作ボタン等の操作子を何ら操作することなく、その選択操作を実行することができるため操作性が高められる。特に、操作デバイスに操作子を設ける必要がないため、操作デバイス本体の密閉性を高めることが可能となると共に、シンプルなデザインで意匠性の優れた操作デバイスを実現することができる。
なお、上記回転操作には、操作デバイスの軌跡が略円を描くように当該操作デバイス全体が移動する操作と、操作デバイスを貫く一軸を回転中心として当該操作デバイスが回転される操作とが含まれる。
【００１０】
ここで、上記発明において、前記表示制御装置は、前記項目選択画面内に円周に沿って配置された各選択項目を選択状態にする順番を前記操作デバイスの回転操作方向と合わせる構成としても良い。
この構成によれば、操作デバイスを回転操作の方向と、各選択項目の選択方向とが合致するため、より直感的に選択項目の選択操作を行うことが可能となる。
【００１１】
また、上記発明において、前記表示制御装置は、選択状態にする選択項目の切り替えの速さを前記操作デバイスの回転操作の速さに応じて速める構成としても良い。
この構成によれば、選択状態にする選択項目の切り替えの速さが操作デバイスの回転操作の速さに応じて速められるため、選択項目数が多い場合などには、ユーザが操作デバイスの回転操作を速めることで、所望の選択項目を速やかに選択することができる。
【００１２】
また、上記発明において、表示制御装置は、前記操作デバイスが所定回数以上連続して回転操作された場合に、選択状態にする選択項目の切り替えを速める構成としても良い。
この構成によれば、項目選択画面内に表示されている選択項目数が多い等して、所定回数の回転操作を行っても所望の選択項目が選択されていない場合には、選択項目の切り替えが自動で速められるため、所望の選択項目を速やかに選択することが可能となる。
【００１３】
また、上記発明において、前記表示制御装置は、前記動き情報に基づいて前記操作デバイスの回転操作以外の動きが検出されたときに、選択状態にある選択項目の選択決定を行う構成としても良い。
この構成によれば、操作ボタン等の操作子を何ら操作することなく、選択項目の選択決定操作を実行することができるため操作性が高められる。
【００１４】
また、上記発明において、前記表示制御装置は、前記選択項目の選択決定により動画を再生、又は、静止画を表示すると共に、前記選択項目の選択決定の後に、前記操作デバイスの回転操作が検出されたときには、前記動画の再生速度を変更し、又は、前記静止画を回転表示する構成としても良い。
この構成によれば、操作デバイスを用いて項目選択のみならず、選択決定後に行われる動画の再生又は静止画の表示をも操作することができる。
【発明を実施するための最良の形態】
【００１５】
以下、図面を参照して本発明の実施の形態について説明する。
図１は本発明の表示項目選択システムが適用されたプロジェクタシステムの構成を模式的に示す図である。プロジェクタシステム１は、コンピュータ２と、投射装置としてのプロジェクタ３と、スクリーン４と、リモート操作デバイス５とを備え、スクリーン４に表示する映像データやメニュー画面データをコンピュータ２がプロジェクタ３に出力し、その映像データをプロジェクタ３がスクリーン４に投射して表示する。また、プロジェクタシステム１は、図示せぬオーディオスピーカを有し、当該オーディオスピーカにコンピュータ２から音声信号が出力され、スクリーン４の表示に合わせて音声が出力される。
【００１６】
リモート操作デバイス５は、スクリーン４に表示されたグラフィカルユーザインターフェース（以下、ＧＵＩと言う）を操作するためのものであり、当該ＧＵＩの表示を制御する表示制御手段としてのコンピュータ２と無線通信又は有線通信（本実施形態では無線通信）し、ユーザの操作を送信する。このリモート操作デバイス５は、円筒状のケース体６の先端部７Ａ付近に、後述する各種の操作を区別するための１つの操作キー８を配置したシンプルな外観構成をなし、ユーザによって後端部７Ｂ付近が把持されて操作される。
【００１７】
リモート操作デバイス５の操作の態様としては、操作時のリモート操作デバイス５の動きに基づいて、全体回転操作、一軸回転操作、左右振操作及び上下振り操作に分類されている。
全体回転操作は、図２（Ａ）に示すように、ユーザがリモート操作デバイス５を把持した腕の肘から先を回す等して、リモート操作デバイス５の起点を回転中心Ｘとして当該リモート操作デバイス５が円（楕円を含む）を描くように回転させる操作である。
一軸回転操作は、図２（Ｂ）に示すように、ユーザがリモート操作デバイス５を把持した手首を捻る等してリモート操作デバイス５の先端部７Ａと後端部７Ｂとを結ぶ長軸Ｋの一軸周りに当該リモート操作デバイス５を回転させる操作であり、このときの回転中心Ｘは長軸Ｋとなる。
【００１８】
また、左右振り操作は、図２（Ｃ）に示すように、操作キー８を押下したまま、ユーザがリモート操作デバイス５を把持した手首を左右に振る等してリモート操作デバイス５の後端部７Ｂ付近を回転中心Ｘとして当該リモート操作デバイス５の先端部７Ａが左右に円弧を描くように回転させる操作である。
上下振り操作は、図２（Ｄ）に示すように、ユーザがリモート操作デバイス５を把持した手首を上下に振る等してリモート操作デバイス５の後端部７Ｂ付近を回転中心Ｘとして当該リモート操作デバイス５の先端部７Ａが上下に円弧を描くように回転させる操作である。
そして、以上のいずれかの操作が行われることで、ＧＵＩの操作が行われる。なお、ＧＵＩの具体例については、後に詳述する。
【００１９】
図３は、リモート操作デバイス５の機能的構成を示すブロック図である。リモート操作デバイス５は、各部を中枢的に制御する制御手段としてのＣＰＵ１０と、コンピュータ２との無線通信インターフェースである通信Ｉ／Ｆ１１と、上記操作キー８と、動き検出部１２とを有している。
動き検出部１２は、リモート操作デバイス５の動きを検出するものであり、Ｘ軸ジャイロセンサ１３Ａと、Ｙ軸ジャイロセンサ１３Ｂと、Ｚ軸ジャイロセンサ１３Ｃと、これらＸ軸、Ｙ軸及びＺ軸ジャイロセンサ１３Ａ〜１３Ｃごとに設けられたＡ／Ｄコンバータ１５とを有している。
なお、以下の説明では、図４に示すように、操作キー８が上側に露出する方向を上方向とし、また、この上方向に沿った軸をＹ軸、上記長軸ＫをＺ軸、これらＹ軸及びＺ軸に直交する軸をＸ軸として説明する。
上記Ｘ軸ジャイロセンサ１３Ａは、ケース体６の左右方向（Ｘ軸方向）を検出軸として当該ケース体６のピッチングを検出し、Ａ／Ｄコンバータ１５を介してＣＰＵ１０に検出信号を出力し、また、Ｙ軸ジャイロセンサ１３Ｂは、ケース体６の上下方向（Ｙ軸方向）を検出軸として当該ケース体６のヨーイングを検出し、Ａ／Ｄコンバータ１５を介してＣＰＵ１０に検出信号を出力する。また、Ｚ軸ジャイロセンサ１３Ｃは、ケース体６の長軸Ｋ（Ｚ軸）を検出軸として当該ケース体６のローリングを検出し、Ａ／Ｄコンバータ１５を介してＣＰＵ１０に検出信号を出力する。
【００２０】
ＣＰＵ１０は、Ｘ軸、Ｙ軸及びＺ軸ジャイロセンサ１３Ａ〜１３Ｃからの検出信号に基づいて、リモート操作デバイス５の動きを示す動き信号を順次生成する。具体的には、本実施形態では、ＣＰＵ１０は、Ｘ軸ジャイロセンサ１３Ａの検出信号に基づいてケース体６のピッチングを検出した場合、ケース体６が上方向（Ｙ軸正方向）に移動しているときには上向きの移動を示す動き信号（以下「↑」と表記する）を出力し、下方向（Ｙ軸負方向）に移動しているときには、下向きの移動を示す動き信号（以下「↓」と表記する）を出力する。
また、ＣＰＵ１０は、Ｙ軸ジャイロセンサ１３Ｂの検出信号に基づいて、ケース体６のヨーイングを検出した場合、ケース体６が右方向（Ｘ軸正方向）に移動しているときには、右方向への移動を示す動き信号（以下「→」と表記する）を出力し、左方向（Ｘ軸負方向）に移動しているときには、左方向への移動を示す動き信号（以下「←」と表記する）を出力する。
【００２１】
さらにまた、ＣＰＵ１０は、Ｚ軸ジャイロセンサ１３Ｃの検出信号に基づいて、ケース体６のローリングを検出した場合、ケース体６が長軸Ｋ（Ｚ軸）を中心として右回りにローリングしているときには、右ローリングを示す動き信号（以下「ＲＲ」と表記する）を出力し、左回りにローリングしているときには、左ローリングを示す動き信号（以下「ＲＬ」と表記する）を出力する。
そして、これらの動き信号が通信Ｉ／Ｆ１１を介してコンピュータ２に順次送信される。また、ＣＰＵ１０は、操作キー８が押下操作されている間は押下信号を通信Ｉ／Ｆ１１を介してコンピュータ２に送信する。
コンピュータ２は、これらの一連の動き信号及び押下信号の有無に基づいてリモート操作デバイス５に対してなされた操作が、上述した全体回転操作、一軸回転操作、左右振操作及び上下振り操作の各操作のどれに該当するかを判断する。
【００２２】
図５は、コンピュータ２によって実行される操作種別判断処理のフローチャートである。コンピュータ２は、動き信号の入力が開始されると、図５に示すように、先ず、操作キー８の操作を伴わない全体回転操作及び一軸回転操作と、移動操作及び回転操作と、操作キー８の操作を伴う左右振操作及び上下振り操作とをそれぞれ識別するために、押下信号が入力されているか否かを判断する（ステップＳａ１）。
押下信号が入力されていない場合（ステップＳａ１：ＮＯ）、すなわち、操作が全体回転操作及び一軸回転操作である場合、コンピュータ２は、その操作が全体回転操作及び一軸回転操作のどちらかであるかを判断すべく次の処理を行う。
【００２３】
すなわち、コンピュータ２は、一軸回転操作に伴って出力される右ローリング又は左ローリングを示す動き信号「ＲＲ」又は「ＲＬ」を検出したか否かを判断し（ステップＳａ２）、検出していれば（ステップＳａ２：ＹＥＳ）、今回の操作が一軸回転操作であると判断する（ステップＳａ３）。一方、動き信号「ＲＲ」又は「ＲＬ」が検出されていなければ（ステップＳａ２：ＮＯ）、今回の操作は全体回転操作を示す可能性があるため、次の処理を実行する。
すなわち、コンピュータ２は、左又は右方向の動き信号「←」又は「→」が入力されたときに、その動き信号を初期値として保持する（ステップＳａ４）。次いで、コンピュータ２は、初期値の動き信号に続いて入力された動き信号が、上又は下方向の動き信号「↑」又は「↓」であるか否かを判断し（ステップＳａ５）、上又は下方向の動き信号「↑」又は「↓」である場合には（ステップＳａ５：ＹＥＳ）、コンピュータ２は、今回の操作が左回転又は右回転の回転操作であると判断する（ステップＳａ６）。また、ステップＳａ５の判断の結果、上又は下方向への動き信号「↑」又は「↓」でない場合には（ステップＳａ５：ＮＯ）、操作が特定されないため、コンピュータ２は、操作種別判断を最初からやり直すべく、初期値をクリアして（ステップＳａ７）、処理手順をステップＳａ１に戻す。
【００２４】
一方、上記ステップＳａ１の判断の結果、操作キー８が押下操作されている場合（ステップＳａ１：ＹＥＳ）、すなわち、上下振り操作及び左右振操作のいずれかである場合、コンピュータ２は、上又は下方向の動き信号「↑」又は「↓」が入力されているか否かを判断する（ステップＳａ８）。動き信号「↑」又は「↓」が入力されている場合（ステップＳａ８：ＹＥＳ）、コンピュータ２は、今回の操作が上下振り操作であるであると判断し（ステップＳａ９）、また、動き信号「↑」又は「↓」が入力されていない場合には（ステップＳａ８：ＮＯ）、左又は右方向の動き信号「←」又は「→」が入力されているか否かを判断し（ステップＳａ１０）、動き信号「←」又は「→」が入力されていれば（ステップＳａ１０：ＹＥＳ）、今回の操作が左右振り操作であると判断する（ステップＳａ１１）。また、動き信号「←」又は「→」が入力されていない場合（ステップＳａ１０：ＮＯ）、操作が特定されないため、コンピュータ２は、操作種別判断を最初からやり直すべく、初期値をクリアして（ステップＳａ１２）、処理手順をステップＳａ１に戻す。
なお、上記の操作種別判断処理において、全体回転操作をより正確に識別すべく、順次入力される一連の動き信号に、全体回転操作時の動き信号の配列パターン（「←」「↑」「→」「↓」又は「←」「↓」「→」「↑」）が含まれているか否かを判断することで判別しても良いことは勿論である。
【００２５】
以上のようにして、コンピュータ２は、ユーザがリモート操作デバイス５に対して行った操作の種別を判断した後、その操作種別にあった処理を実行することになる。
詳述すると、本実施形態では、図６に示すように、ユーザがリモート操作デバイス５を操作して複数の選択項目３２Ａ〜３２Ｉ（特に区別しない場合は符号「３２」を付す）の中から所望の選択項目３２を選択するための項目選択画面３０をＧＵＩとしてスクリーン４に表示する。この項目選択画面３０においては、画面の中央Ｏの周囲、より具体的には、中央Ｏを中心とする円周３１に沿って複数（図示例では８個）の選択項目３２Ａ〜３２Ｉが環状となるように配置され、中央Ｏには、ホームポジション（初期位置）を示すマークであるホームマーク３３が配置されている。なお、円周３１は、真円である必要はなく、楕円やその他の曲線であれば良い。
【００２６】
項目選択画面３０の初期状態（リモート操作デバイス５の未操作時）においては、ホームマーク３３が太枠３４にて囲まれて選択状態になされている。そして、ユーザがリモート操作デバイス５を把持して上記全体回転操作を行うと、その全体回転操作時の回転方向に合わせて、右回り又は左回りに各選択項目３２が太枠３４にて囲まれて順番に選択状態になされる。そして、所望の選択項目３２が選択状態になったときに、ユーザが上下振り操作（前掲図２（Ｄ））を行うことで、その操作が上記操作種別判断処理によりコンピュータ２によって判断され、選択状態にある選択項目３２の選択が決定されることになる。
このように、選択項目３２の配置態様と、リモート操作デバイス５の操作態様とが合致しているため、ユーザがリモート操作デバイス５を直感的に操作して各選択項目３２を選択することができる。
なお、項目選択画面３０における項目選択を全体回転操作に加え（又は代えて）、一軸回転操作によって行われる構成としても良い。
【００２７】
ここで、リモート操作デバイス５に対して全体回転操作がなされた場合、コンピュータ２は各選択項目３２を順次選択する処理を開始し、全体回転操作が連続して行われている間は、選択項目３２の選択の切り替えが継続して行われる。このとき、選択項目３２の選択の切り替え速度は、初期状態では全体回転操作時の回転速度によらず一定である。しかしながら、例えば、項目選択画面３０に多数の選択項目３２が表示されている場合には、ユーザは、所望の選択項目３２が選択されるまでリモート操作デバイス５を何回転も全体回転操作し続ける必要がある。そこで、本実施形態では、選択に要する時間、及び、全体回転操作の回数を軽減するために、同一種別の操作が所定回数連続してわれている場合には、そのときの回転速度に応じて選択の切り替え速度を高めるようにしている。
【００２８】
図７は、選択の切り替え速度を可変するための速度可変処理のフローチャートである。コンピュータ２は、前掲図５に示す操作種別判断処理により操作種別を判断した後、図７に示すように、順次入力されている動き信号のパターンに基づいて、同一種別の操作が繰り返し入力されたか否かを動き信号に基づいて判断する（ステップＳｂ１）。例えば、右回転の全体回転操作が行われている場合には、コンピュータ２は、当該右回転の全体回転操作時の動き信号のパターンである［「←」「↑」「→」「↓」］が連続して入力されているか否かを判断する。そして、同一種別の操作が繰り返して入力されていない場合には（ステップＳｂ１：ＮＯ）、速度を切り替える必要がないため処理を終了し、また、繰り返し入力されている場合には（ステップＳｂ１：ＹＥＳ）、その繰り返し回数が所定回数以上であるか否かを判断する（ステップＳｂ２）。
【００２９】
繰り返し回数が所定回数を下回る場合（ステップＳｂ２：ＮＯ）、コンピュータ２は、処理手順をステップＳｂ１に戻し、同一種別の操作が引き続き行われているか否かを判断する。また、繰り返し回数が所定回数以上の場合（ステップＳｂ２：ＹＥＳ）、コンピュータ２は、ユーザが選択の切り替えを速くしようとしてリモート操作デバイス５を比較的速く動かしているか否かを判断するために、１回の操作が終了するまでの時間が所定時間以下であるか否かを判断する（ステップＳｂ３）。そして、１回の操作時間が所定時間をこえている場合（ステップＳｂ３：ＮＯ）、コンピュータ２は、処理手順をステップＳｂ１に戻し、また、１回の操作時間が所定時間以下の場合に（ステップＳｂ３：ＹＥＳ）、選択項目３２の選択切り替え速度を高速にする（ステップＳｂ４）。
【００３０】
さて、項目選択画面３０において、リモート操作デバイス５を全体回転操作することで選択項目３２の選択操作が行われることは上述の通りであるが、本実施形態では、当該リモート操作デバイス５を全体回転操作することで項目選択画面３０以外のＧＵＩ操作をも操作可能になされている。
具体的には、上記項目選択画面３０に表示されている選択項目３２Ａ〜３２Ｉは種々の画面を表示するための選択キーとして機能し、選択決定された選択項目３２Ａ〜３２Ｉに応じて、例えば、動画表示画面４０、静止画表示画面４１、及び、文書表示画面４２といったＧＵＩがスクリーン４に表示されるように構成されている。
動画表示画面４０は、図８に示すように、表示オブジェクトの一態様たる動画をスクリーン４に表示するＧＵＩであり、この動画表示画面４０において、リモート操作デバイス５を全体回転操作することで動画の早送り（右回転の全体回転操作）及び巻き戻し（左回転の全体回転操作）が行われる。
静止画表示画面４１は、図９に示すように、表示オブジェクトの一態様たる写真等の静止画をスクリーン４に表示するＧＵＩであり、この静止画表示画面４１においては、リモート操作デバイス５を一軸回転操作することで静止画の右９０度回転（右ローリングの一軸回転操作）及び左９０度回転（左ローリングの一軸回転操作）が行われる。
【００３１】
文書表示画面４２は、図１０に示すように、表示オブジェクトの一態様たる、複数のページからなる文書データをスクリーン４に表示するＧＵＩであり、この文書表示画面４２においては、リモート操作デバイス５を左右振り操作することでページ送り（右方向への振り操作）及びページ戻し（左方向への振り操作）が行われる。
これらの動画表示画面４０、静止画表示画面４１、及び、文書表示画面４２といったＧＵＩにおいても、リモート操作デバイス５の操作回数に応じて、動画の早送り／巻き戻し速度、図形の回転速度、及び、ページ送り／戻しのページ数等が、上記速度可変処理と同様にして変更される。
【００３２】
以上説明したように、本実施形態によれば、複数の選択項目３２の各々が項目選択画面３０内に円周に沿って配置して表示されると共に、リモート操作デバイス５の全体回転操作により選択項目３２の各々が順に表示される構成としたため、選択項目３２の表示態様と、所望の選択項目３２を選択するための操作態様とが合致し、ユーザがリモート操作デバイス５を直感的に操作して選択操作を行うことができる。特に、リモート操作デバイス５を回転させるという、多くの人間が簡単に行うことのできる動作によって選択操作を可能にしたため、その選択操作が容易なものとなる。
また本実施形態によれば、操作ボタン等の操作子を何ら操作することなく、その選択操作を実行することができるため操作性が高められる。
【００３３】
また本実施形態によれば、項目選択画面３０内に円周に沿って配置された各選択項目３２を選択状態にする順番をリモート操作デバイス５の全体回転操作時の回転方向と合わせた構成としたため、選択項目３２の選択操作を、より直感的に行うことが可能となる。
また本実施形態によれば、選択状態にする選択項目３２の切り替えの速さをリモート操作デバイス５の全体回転操作時の速さに応じて速める構成としたため、選択項目数が多い場合などには、ユーザがリモート操作デバイス５の回転を速めることで、所望の選択項目３２を速やかに選択することができる。
【００３４】
特に、本実施形態においては、リモート操作デバイス５が所定回数以上連続して全体回転操作された場合に、選択状態にする選択項目３２の切り替えを速める構成としたため、項目選択画面３０内に表示されている選択項目３２の数が多い等して、所定回数の全体回転操作を行っても所望の選択項目３２が選択されないという状況になると、選択項目３２の切り替えが自動で速められるため、選択項目３２の数が多くなっても所望の選択項目３２を速やかに選択することが可能となる。
【００３５】
また本実施形態においては、項目選択画面３０以外の、例えば動画表示画面４０、静止画表示画面４１、及び、文書表示画面４２といったＧＵＩ操作も、リモート操作デバイス５を動かす操作で行う構成としたため、複雑な操作子操作を要することなく、簡単にＧＵＩ操作を行うことができる。
なお、項目選択画面３０における選択項目３２の選択操作を全体回転操作に代えて、一軸回転操作により行う構成としても良い事は上述の通りである。
【００３６】
上述した実施形態は、あくまでも本発明の一態様を示すものであり、本発明の範囲内で任意に変形および応用が可能である。
例えば、上記実施形態では、リモート操作デバイス５に対する操作種別の判断をコンピュータ２が行う構成としたが、リモート操作デバイス５が操作種別を判断し、その判断結果をコンピュータ２に送信するようにしても良い。また、前掲図７に示す速度可変処理についてもリモート操作デバイス５が行い、コンピュータ２に対して選択速度の可変指示を与える構成としても良い。
【００３７】
また例えば、リモート操作デバイス５に誤動作防止キーを設け、この誤動作防止キーが押されている間だけ、リモート操作デバイス５が動き信号をコンピュータ２に送信する構成としても良い。この構成によれば、操作を意図していないユーザの動作が操作としてコンピュータ２に判断されて誤動作するといった事態を防止可能となる。
【００３８】
また例えば、上述した実施形態では、リモート操作デバイス５の操作の態様（種別）として回転中心Ｘを中心として回転させる操作だけを例示したが、これに限らない。例えば、ＧＵＩとして、図１１に示すように、線画を画面上に描画するためのＧＵＩである描画画面４３に対し、リモート操作デバイス５を動かしたときの動きの軌跡に応じて線画を描画するといった操作も可能である。
より具体的には、描画画面４３では、線画が描画されるキャンバス４３０と、ペンオブジェクト４３１とが表示され、当該ペンオブジェクト４３１の移動軌跡によってキャンバス４３０にライン４３２が描画される。この描画画面４３において、リモート操作デバイス５を自由に移動させときの動き信号「↑」「↓」「←」「→」「ＲＲ」「ＲＬ」が順次入力されると、コンピュータ２は、その動き信号に応じてペンオブジェクト４３１を所定距離ずつキャンバス４３０上を移動させると共に、その移動の軌跡上にライン４３２を描画する。なお、ライン消去指示やライン４３２の太さ指定、色指定といったライン描画に関するコマンドを示すアイコンを集めてなるパレット４３３をこの描画画面４３に表示し、ペンオブジェクト４３１がリモート操作デバイス５の操作によりパレット４３３に移動され、かつ、上下振り操作が行われたときに、ペンオブジェクト４３１が指し示すアイコンの選択決定が行われるようにしても良い。
【００３９】
また、上記実施形態では、本発明をプロジェクタシステム１に適用した場合を例示したが、これに限らず、テレビやコンピュータのディスプレイ等の各種表示装置に表示される選択項目画面を操作するシステムに応用可能である。
さらに、携帯電話機等のユーザが把持して使用する電子機器にリモート操作デバイス５の機能を組み込んで実施することも可能である。
なお、本発明に係る操作デバイスは、ＧＵＩを操作するための操作装置に加え、例えばコンピュータに対する各種情報の入力装置としても用いることも可能である。この応用例としては、例えば、上記実施形態に記載のリモート操作デバイス５を動かして所定の動きのパターン（例えば、「↑」「↓」「←」「↓」）をパスワードとしてコンピュータ２に対して予め登録し、当該動きのパターンがリモート操作デバイス５からコンピュータ２に入力されるまで、コンピュータ２が各種操作をロックするという応用がある。
【図面の簡単な説明】
【００４０】
【図１】本発明の実施形態に係るプロジェクタシステムの概略構成図。
【図２】リモート操作デバイスの操作態様を示す図。
【図３】リモート操作デバイスの機能的構成を示すブロック図。
【図４】動き検出部による動きの検出を示す図。
【図５】操作種別判断処理のフローチャート。
【図６】項目選択画面の一例を模式的に示す図。
【図７】速度可変処理のフローチャート。
【図８】動画表示画面の操作を説明するための図。
【図９】静止画表示画面の操作を説明するための図。
【図１０】文書画面の操作を説明するための図。
【図１１】本発明の応用例に係る描画画面の操作を説明するための図。
【符号の説明】
【００４１】
１…プロジェクタシステム、２…コンピュータ（表示制御装置）、３…プロジェクタ（表示装置）、４…スクリーン、５…リモート操作デバイス（操作デバイス）、７…先端、１０…ＣＰＵ、１２…動き検出部、１３Ａ、１３Ｂ、１３Ｃ…ジャイロセンサ、３０…項目選択画面、３２、３２Ａ〜３２Ｉ…選択項目。
【図１】
2008123158.tif 000003
【図２】
2008123158.tif 000004
【図３】
2008123158.tif 000005
【図４】
2008123158.tif 000006
【図５】
2008123158.tif 000007
【図６】
2008123158.tif 000008
【図７】
2008123158.tif 000009
【図８】
2008123158.tif 000010
【図９】
2008123158.tif 000011
【図１０】
2008123158.tif 000012
【図１１】
2008123158.tif 000013